(57)【特許請求の範囲】
【請求項１】
原稿に光を照射する原稿照明手段と，
前記原稿照明手段で照明した原稿からの反射光を色分解する色分解手段と，
前記色分解手段で色分解した反射光を受光して光電変換し，画像信号として読み取る画像読取手段と，
前記画像読取手段で読み取った画像信号に基づいて，原稿に使用されている色材の種類を判定する色材判定手段と，
前記色材判定手段の判定結果に基づいて，前記画像読取手段で読み取った画像信号に色補正処理を施す色補正処理手段と，
を備えたことを特徴とするカラー画像入力装置。
【請求項２】
前記色材判定手段は，原稿からの特性の異なる光により得られた複数の画像信号に基づいて原稿に使用されている色材の種類を判定することを特徴とする請求項１に記載のカラー画像入力装置。
【請求項３】
それぞれ単独で駆動可能であり，かつ，発光特性の異なる複数の照明源を有した原稿照明手段と，
前記原稿照明手段で照明した原稿からの反射光を色分解する色分解手段と，
前記色分解手段で色分解した反射光を受光して光電変換し，画像信号として読み取る画像読取手段と，
前記複数の照明源をそれぞれ単独に駆動して前記画像読取手段で読み取った複数の画像信号に基づいて，原稿に使用されている色材の種類を判定する色材判定手段と，
前記色材判定手段の判定結果に基づいて，前記画像読取手段で読み取った画像信号に色補正処理を施す色補正処理手段と，
を備えたことを特徴とするカラー画像入力装置。
【請求項４】
前記原稿照明手段は，色温度が異なるハロゲンランプを用いることを特徴とする請求項３に記載のカラー画像入力装置。
【請求項５】
前記原稿照明手段は，相対発光分布が異なるハロゲンランプと蛍光灯を組み合わせたものであることを特徴とする請求項３に記載のカラー画像入力装置。
【請求項６】
発光特性の異なる複数の駆動モードで発光可能な照明源を有した原稿照明手段と，
前記原稿照明手段で照明した原稿からの反射光を色分解する色分解手段と，
前記色分解手段で色分解した反射光を受光して光電変換し，画像信号として読み取る画像読取手段と，
前記照明源を複数の駆動モードで発光させて前記画像読取手段で読み取った複数の画像信号に基づいて，原稿に使用されている色材の種類を判定する色材判定手段と，
前記色材判定手段の判定結果に基づいて，前記画像読取手段で読み取った画像信号に色補正処理を施す色補正処理手段と，
を備えたことを特徴とするカラー画像入力装置。
【請求項７】
前記原稿照明手段は，デューティの異なる複数の駆動パルスを発生させる駆動パルス発生手段と，前記駆動パルス発生手段からの駆動パルスを切り替える切替え手段とを有し，前記切替え手段により前記照明源の色温度を可変させることを特徴とする請求項６に記載のカラー画像入力装置。
【請求項８】
原稿に光を照射する原稿照明手段と，
前記原稿照明手段で照明した原稿からの反射光を，分光特性の異なる複数の色分解モードで色分解する色分解手段と，
前記色分解手段で色分解した反射光を受光して光電変換し，画像信号として読み取る画像読取手段と，
前記複数の色分解モードを用いて前記画像読取手段で読み取った複数の画像信号に基づいて，原稿に使用されている色材の種類を判定する色材判定手段と，
前記色材判定手段の判定結果に基づいて，前記画像読取手段で読み取った画像信号に色補正処理を施す色補正処理手段と，
を備えたことを特徴とするカラー画像入力装置。
【請求項９】
前記色分解手段は，分光透過特性がフラットでない単一あるいは複数のフィルタと，前記フィルタを光路中に挿入し，あるいは，光路から離脱させるフィルタ移動手段とを有し，色分解特性を可変にすることを特徴とする請求項８に記載のカラー画像入力装置。
【請求項１０】
原稿に光を照射する原稿照明手段と，
前記原稿照明手段で照明した原稿からの反射光を色分解する色分解手段と，
前記原稿照明手段で照明した原稿からの反射光を，前記色分解手段の分光特性と異なる分光特性で分光する分光手段と，
前記色分解手段および分光手段で色分解した反射光を受光して光電変換し，画像信号として読み取る画像読取手段と，
前記画像読取手段で読み取った画像信号に基づいて，原稿に使用されている色材の種類を判定する色材判定手段と，
前記色材判定手段の判定結果に基づいて，前記画像読取手段で読み取った画像信号に色補正処理を施す色補正処理手段と，
を備えたことを特徴とするカラー画像入力装置。
【請求項１１】
前記分光手段の分光特性は，前記色分解手段により分光される場合に比べて透過する帯域が狭いことを特徴とする請求項１０に記載のカラー画像入力装置。
【請求項１２】
前記色材判定手段は，前記画像読取手段により読み取られた読取階調信号で表される色の色度分布から色の３原色毎にそれぞれ最も彩度の高い色を検出し，それぞれの色相と彩度を，予め記憶されている複数の色材情報と比較し，最も一致するものを原稿で使用されている色材と判定することを特徴とする請求項１〜１１のいずれか一つに記載のカラー画像入力装置。
【請求項１３】
前記色材判定手段は，前記画像読取手段により読み取られた読取階調信号で表される色の色度分布から色の３原色毎にそれぞれ最も彩度の高い色を検出し，それぞれの色相，彩度および明度を，予め記憶されている複数の色材情報と比較し，最も一致するものを原稿で使用されている色材と判定することを特徴とする請求項１〜１１のいずれか一つに記載のカラー画像入力装置。
【発明の詳細な説明】
【０００１】
【発明の属する技術分野】
本発明は，原稿の種類に応じて異なる画像処理を施すカラー画像入力装置に関し，より詳細には，原稿に使用されている色材に応じた最適な色補正処理を施すカラー画像入力装置に関する。
【０００２】
【従来の技術】
従来のカラー画像入力装置として，例えば，特開平５−１３６９９３号公報『デジタルカラー画像処理装置』に開示されたものがある。この装置は，図２１のブロック図に示すように，各種画像処理を施す画像処理部２１０１と，画像処理部２１０１の各部を制御するシステム制御部２１０９とを有しており，画像処理部２１０１内に，変倍回路２１０２と，濃度変換回路２１０３と，画像判定回路２１０４と，色補正回路２１０５と，フィルタ回路２１０６と，γ補正回路２１０７と，階調回路２１０８とを備えている。
【０００３】
ここで，変倍回路２１０２は，スキャナユニット（図示せず）で読み取った画像信号Ｒ，Ｇ，Ｂに主走査方向の変倍処理を施して出力する回路である。濃度変換回路２１０３は，変倍回路２１０２が出力した画像信号を画像濃度に比例した画像信号に変換して出力する回路である。画像判定回路２１０４は，濃度変換回路２１０３が出力した画像信号に基づいて読み取った原稿の種類が印刷写真か写真原稿（銀塩写真）かを判定する回路である。
【０００４】
また，色補正回路２１０５は，濃度変換回路２１０３が出力した画像信号に色相対応の色補正処理を施して出力する回路である。フィルタ回路２１０６は，色補正回路２１０５が出力した画像信号に空間フィルタ処理を施して出力する回路である。γ補正回路２１０７は，フィルタ回路２１０６が出力した画像信号を，階調回路２１０８やプリンタユニット（図示せず）に起因する階調記録特性に応じて補正し，出力する回路である。階調回路２１０８は，γ補正回路２１０７が出力した画像信号にディザ法等の階調処理を施して出力する回路である。
【０００５】
階調回路２１０８として示したブロックには，墨分抽出回路が含まれており，墨分抽出回路がシアン（Ｃ），マゼンタ（Ｍ），イエロー（Ｙ）信号より黒記録成分を抽出し，ブラック（ＢＫ）信号として出力する。Ｃ，Ｍ，Ｙ，ＢＫの信号がプリンタユニットに送られる。
【０００６】
また，システム制御部２１０９は，ＣＰＵ２１１０と，ＲＯＭ２１１１と，ＲＡＭ２１１２およびＩ／Ｏポート２１１３を含むマイクロコンピュータで構成されている。
【０００７】
以上の構成において，上記の装置における原稿の種類の自動識別（印刷写真か写真原稿（銀塩写真）かを自動識別）方法について説明する。印刷写真か写真原稿を比較すると，一般に次のような３つの特徴がある。
【０００８】
第１に，印刷写真は，網点処理されていることが多いが，写真原稿には網点処理がされていない。
第２に，写真原稿は，画像濃度が連続的に変化し，急峻な画像エッジが少ないが，印刷写真では上述した網点によるエッジや文字，線画などのエッジが多い。第３に，地肌部やベタ部など両極端の濃度域では，印刷写真と写真原稿に特徴の違いが現れない。
【０００９】
したがって，原稿の種類の自動識別方法において，上記３つの特徴を利用している。すなわち，画像判定回路２１０４は，地肌部やベタ部以外の中間濃度域において，網点が多く検出されれば印刷写真と判定し，少なければ写真原稿と判定する。また，画像判定回路２１０４は，地肌部やベタ部以外の中間濃度域において，画像エッジが多く検出されれば印刷写真と判定し，少なければ写真原稿と判定する。
【００１０】
このように原稿の種類を自動識別し，原稿の種類に基づいて異なる色補正処理を画像信号に施すことができるため，写真原稿を複写する場合に，特別な調整作業を行わずに，所望の色に再現が可能となる。
【００１１】
【発明が解決しようとする課題】
しかしながら，特開平５−１３６９９３号公報によれば，読み取った画像信号に対して，原稿の種類に基づいて異なる色補正処理を施すことができるものの，銀塩写真原稿であっても使用されている印画紙の種類によって使われている色材の分光特性が異なるため，例えば，標準的と想定した分光特性からのズレが大きいと，忠実な色再現ができないという問題点があった。
【００１２】
また，網点写真原稿であっても，使用されているインク（色材）の分光特性によっては，忠実な色再現ができないという問題点があった。
【００１３】
本発明は上記に鑑みてなされたものであって，原稿に使用されている色材の種類に応じて最適な色補正処理を施すことにより，色再現性の向上を図ったカラー画像入力装置を提供することを目的とする。
【００１４】
【課題を解決するための手段】
上記の目的を達成するために，請求項１に係るカラー画像入力装置にあっては，原稿に光を照射する原稿照明手段と，前記原稿照明手段で照明した原稿からの反射光を色分解する色分解手段と，前記色分解手段で色分解した反射光を受光して光電変換し，画像信号として読み取る画像読取手段と，前記画像読取手段で読み取った画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたものである。
【００１５】
すなわち，色分解手段が，原稿照明手段で照明した原稿からの反射光を色分解し，画像読取手段が，該色分解した反射光を光電変換し画像信号として読み取り，色材判定手段が，読み取った画像信号に基づいて，原稿の色材の種類を判定し，色補正処理手段が，色材判定手段の判定結果に基づいて，画像読取手段で読み取った画像信号に，原稿に使用されている色材の種類に応じた最適な色補正処理を施す。
【００１６】
また，請求項２に係るカラー画像入力装置にあっては，前記色材判定手段は，原稿からの特性の異なる光により得られた複数の画像信号に基づいて原稿に使用されている色材の種類を判定するものである。
【００１７】
また，請求項３に係るカラー画像入力装置にあっては，それぞれ単独で駆動可能であり，かつ，発光特性の異なる複数の照明源を有した原稿照明手段と，前記原稿照明手段で照明した原稿からの反射光を色分解する色分解手段と，前記色分解手段で色分解した反射光を受光して光電変換し，画像信号として読み取る画像読取手段と，前記複数の照明源をそれぞれ単独に駆動して前記画像読取手段で読み取った複数の画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたものである。
【００１８】
すなわち，それぞれ単独で駆動可能であり，かつ，発光特性の異なる複数の照明源を有した原稿照明手段が，原稿を照明すると，色分解手段が，該原稿照明手段で照明した原稿からの反射光を色分解し，画像読取手段が，色分解手段で色分解した反射光を受光して光電変換し，画像信号として読み取り，色材判定手段が，該複数の照明源をそれぞれ単独に駆動して画像読取手段で読み取った複数の画像信号に基づいて，原稿に使用されている色材の種類を判定し，色補正処理手段が，色材判定手段の判定結果に基づいて，画像読取手段で読み取った画像信号に色補正処理を施す。
【００１９】
また，請求項４に係るカラー画像入力装置にあっては，前記原稿照明手段は，色温度が異なるハロゲンランプを用いるものである。
【００２０】
また，請求項５に係るカラー画像入力装置にあっては，前記原稿照明手段は，相対発光分布が異なるハロゲンランプと蛍光灯を組み合わせたものである。
【００２１】
また，請求項６に係るカラー画像入力装置にあっては，発光特性の異なる複数の駆動モードで発光可能な照明源を有した原稿照明手段と，前記原稿照明手段で照明した原稿からの反射光を色分解する色分解手段と，前記色分解手段で色分解した反射光を受光して光電変換し，画像信号として読み取る画像読取手段と，前記照明源を複数の駆動モードで発光させて前記画像読取手段で読み取った複数の画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたものである。
【００２２】
すなわち，発光特性の異なる複数の駆動モードで発光可能な照明源を有した原稿照明手段が，原稿を照明すると，色分解手段が，原稿照明手段で照明した原稿からの反射光を色分解し，画像読取手段が，色分解手段で色分解した反射光を受光して光電変換し，画像信号として読み取り，色材判定手段が，該照明源を複数の駆動モードで発光させて画像読取手段で読み取った複数の画像信号に基づいて，原稿に使用されている色材の種類を判定し，色補正処理手段が，該色材判定手段の判定結果に基づいて，画像読取手段で読み取った画像信号に色補正処理を施す。
【００２３】
また，請求項７に係るカラー画像入力装置にあっては，前記原稿照明手段は，デューティの異なる複数の駆動パルスを発生させる駆動パルス発生手段と，前記駆動パルス発生手段からの駆動パルスを切り替える切替え手段とを有し，前記切替え手段により前記照明源の色温度を可変させるものである。
【００２４】
また，請求項８に係るカラー画像入力装置にあっては，原稿に光を照射する原稿照明手段と，前記原稿照明手段で照明した原稿からの反射光を，分光特性の異なる複数の色分解モードで色分解する色分解手段と，前記色分解手段で色分解した反射光を受光して光電変換し，画像信号として読み取る画像読取手段と，前記複数の色分解モードを用いて前記画像読取手段で読み取った複数の画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたものである。
【００２５】
すなわち，原稿照明手段が，原稿に光を照射すると，色分解手段が，原稿照明手段で照明した原稿からの反射光を，分光特性の異なる複数の色分解モードで色分解し，画像読取手段が，色分解手段で色分解した反射光を受光して光電変換し，画像信号として読み取り，色材判定手段が，該複数の色分解モードを用いて画像読取手段で読み取った複数の画像信号に基づいて，原稿に使用されている色材の種類を判定し，色補正処理手段が，色材判定手段の判定結果に基づいて，画像読取手段で読み取った画像信号に色補正処理を施す。
【００２６】
また，請求項９に係るカラー画像入力装置にあっては，前記色分解手段は，分光透過特性がフラットでない単一あるいは複数のフィルタと，前記フィルタを光路中に挿入し，あるいは，光路から離脱させるフィルタ移動手段とを有し，色分解特性を可変にするものである。
【００２７】
また，請求項１０に係るカラー画像入力装置にあっては，原稿に光を照射する原稿照明手段と，前記原稿照明手段で照明した原稿からの反射光を色分解する色分解手段と，前記原稿照明手段で照明した原稿からの反射光を，前記色分解手段の分光特性と異なる分光特性で分光する分光手段と，前記色分解手段および分光手段で色分解した反射光を受光して光電変換し，画像信号として読み取る画像読取手段と，前記画像読取手段で読み取った画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたものである。
【００２８】
すなわち，原稿照明手段が，原稿に光を照射すると，色分解手段が，原稿照明手段で照明した原稿からの反射光を色分解し，また，分光手段が，原稿照明手段で照明した原稿からの反射光を，前記色分解手段の分光特性と異なる分光特性で分光し，画像読取手段が，色分解手段および分光手段で色分解した反射光を受光して光電変換し，画像信号として読み取り，色材判定手段が，画像読取手段で読み取った画像信号に基づいて，原稿に使用されている色材の種類を判定し，色補正処理手段が，色材判定手段の判定結果に基づいて，画像読取手段で読み取った画像信号に色補正処理を施す。
【００２９】
また，請求項１１に係るカラー画像入力装置にあっては，前記分光手段の分光特性は，前記色分解手段により分光される場合に比べて透過する帯域が狭いものである。
【００３０】
また，請求項１２に係るカラー画像入力装置にあっては，前記色材判定手段は，前記画像読取手段により読み取られた読取階調信号で表される色の色度分布から色の３原色毎にそれぞれ最も彩度の高い色を検出し，それぞれの色相と彩度を，予め記憶されている複数の色材情報と比較し，最も一致するものを原稿で使用されている色材と判定するものである。
【００３１】
また，請求項１３に係るカラー画像入力装置にあっては，前記色材判定手段は，前記画像読取手段により読み取られた読取階調信号で表される色の色度分布から色の３原色毎にそれぞれ最も彩度の高い色を検出し，それぞれの色相，彩度および明度を，予め記憶されている複数の色材情報と比較し，最も一致するものを原稿で使用されている色材と判定するものである。
【００３２】
【発明の実施の形態】
以下，本発明のカラー画像入力装置をデジタル複写機に適用した場合を例として，〔実施の形態１〕，〔実施の形態２〕，〔実施の形態３〕，〔実施の形態４〕，〔実施の形態５〕の順に図面を参照して詳細に説明する。
【００３３】
〔実施の形態１〕
図１は，実施の形態１のデジタル複写機のブロック構成図を示し，原稿画像の読み取りを行い，読取色階調信号レッド（Ｒ），グリーン（Ｇ）およびブルー（Ｂ）を出力する読取処理ユニット１０１と，読取処理ユニット１０１で読み取った原稿画像の読取色階調信号Ｒ，Ｇ，Ｂをサンプリングするサンプリングユニット１０２と，読取処理ユニット１０１から読取色階調信号Ｒ，Ｇ，Ｂを入力して各種画像処理を施す画像処理ユニット１０３と，画像処理ユニット１０３で画像処理を施した後の画像データを記録紙に出力する画像記録ユニット１０４と，読取処理ユニット１０１，サンプリングユニット１０２，画像処理ユニット１０３および画像記録ユニット１０４相互の，ならびに各ユニット内の各要素間の信号授受のタイミングの整合を行う同期制御ユニット１０５と，デジタル複写機全体の制御を行うと共に，実施の形態１の色材判定手段としてのシステム制御ユニット１０６と，表示部およびキー部を有しデジタル複写機全体の操作を行うコンソールボード１０７とから構成される。
【００３４】
次に，読取処理ユニット１０１，画像処理ユニット１０３，画像記録ユニット１０４およびシステム制御ユニット１０６の詳細な構成について，図を参照して説明する。
【００３５】
まず，読取処理ユニット１０１は，後述する色分解手段であるダイクロイックプリズム２０６で色分解したＲ，Ｇ，Ｂに対応する反射光をそれぞれ受光して光電変換し，画像信号として読み取るＣＣＤ１０８ｒ，１０８ｇおよび１０８ｂと，ＣＣＤ１０８ｒ，１０８ｇおよび１０８ｂで読み取った画像信号（ここでは，アナログ信号）をデジタル信号に変換するＡ／Ｄ変換器１０９ｒ，１０９ｇおよび１０９ｂと，Ａ／Ｄ変換器１０９ｒ，１０９ｇおよび１０９ｂでデジタル信号に変換された画像信号を入力してシェーディング補正を行うシェーディング補正回路１１０とから構成される。
【００３６】
また，画像処理ユニット１０３は，入力される読取色階調信号Ｒ，Ｇ，Ｂに対して対数変換を行うγ補正回路１１１と，マスキング処理を行うと共に，実施の形態１の色補正処理手段としての色補正回路１１２と，読取色階調信号Ｒ，Ｇ，Ｂに対して変倍処理を行う変倍処理回路１１３と，変倍処理回路１１３の変倍処理した信号に基づいてディザ処理を行うディザ処理回路１１４とから構成されている。
【００３７】
また，画像記録ユニット１０４は，画像処理ユニット１０３から入力した各記録色階調信号を記憶するバッファメモリ１１５と，半導体レーザ１１６と，半導体レーザ１１６を駆動するレーザドライバ１１７とから構成される。
【００３８】
なお，バッファメモリ１１５は，各トナーの記録濃度に対応した記録色階調信号シアン（Ｃ），マゼンタ（Ｍ）およびイエロー（Ｙ）の各色それぞれに対して，バッファメモリ１１５ｃ，１１５ｍおよび１１５ｙを備えている。また，半導体レーザ１１６もバッファメモリ１１５と同様に，記録色階調信号Ｃ，ＭおよびＹとともに，４つ目であるブラック（ＢＫ）に対して半導体レーザ１１６ｃ，１１６ｍ，１１６ｙおよび１１６ｂｋを備えている。また，レーザドライバ１１７も半導体レーザ１１６と同様に，記録色階調信号Ｃ，Ｍ，ＹおよびＢＫに対してレーザドライバ１１７ｃ，１１７ｍ，１１７ｙおよび１１７ｂｋを備えている。
【００３９】
さらに，システム制御ユニット１０６は，デジタル複写機全体を制御するためのＣＰＵ１１８と，ＲＯＭ１１９と，ＲＡＭ１２０と，読取処理ユニット１０１と接続するためのＩ／Ｏポート１２１と，サンプリングユニット１０２と接続するためのＩ／Ｏポート１２２と，画像処理ユニット１０３と接続するためのＩ／Ｏポート１２３と，画像記録ユニット１０４と接続するためのＩ／Ｏポート１２４と，同期制御ユニット１０５と接続するためのＩ／Ｏポート１２５と，および，コンソールボード１０７と接続するためのＩ／Ｏポート１２６とを備えている。換言すれば，システム制御ユニット１０６は，マイクロコンピュータである。また，システム制御ユニット１０６は，後述するコンソールボード１０７の表示制御およびキー入力に応じて所定の制御および動作を行う。
【００４０】
以上の構成において，その動作を説明する。まず，読取処理ユニット１０１，サンプリングユニット１０２，画像処理ユニット１０３，画像記録ユニット１０４，システム制御ユニット１０６およびコンソールボード１０７の順に説明する。
【００４１】
読取処理ユニット１０１において，ＣＣＤ１０８ｒ，１０８ｇおよび１０８ｂは，各色に対して原稿を読み取り，Ｒ，ＧおよびＢの出力信号を出す。ＣＣＤ１０８ｒ，１０８ｇおよび１０８ｂの出力信号は，Ａ／Ｄ変換器１０９ｒ，１０９ｇおよび１０９ｂによって各々１０ビットのデジタル信号に変換され，シェーディング補正回路１０３に入力される。シェーディング補正回路１０３は，ＣＣＤ１０８の読取光学系の照度むら，各ＣＣＤ１０８ｒ，１０８ｇおよび１０８ｂ内部の受光素子群の感度のばらつき，および暗電位に対する補正を施して，各１０ビットの読取色階調信号Ｒ，ＧおよびＢを出力する。
【００４２】
サンプリングユニット１０２は，読取処理ユニット１０１から入力した読取色階調信号Ｒ，ＧおよびＢを，あらかじめ設定した所定のタイミング，例えば，原稿を等間隔の格子で区切った時の格子点上などでサンプリングする。サンプリングユニット１０２が行うサンプリングは，後述する，色材の種類の誤判定を防ぐために，例えば平滑化処理などを施し，読取色階調信号Ｒ，ＧおよびＢに含まれるノイズ等を除去した後で行うことが望ましい。
【００４３】
次に，画像処理ユニット１０３において，γ補正回路１１１が，入力される読取色階調信号Ｒ，ＧおよびＢに対して対数変換を行うとともに，コンソールボード１０７からの指示に応じて階調特性を補正し，各８ビットのＲ，ＧおよびＢの読取色濃度信号Ｄｒ，ＤｇおよびＤｂを出力する。
【００４４】
次に，色補正回路１１２が，マスキング処理を行い，読取色階調信号Ｒ，ＧおよびＢに基づいて入力信号である読取色濃度信号Ｄｒ，ＤｇおよびＤｂを，Ｃ，Ｍ，ＹおよびＢＫの記録色対応（各トナーの記録濃度に対応）信号Ｄｃ，Ｄｍ，ＤｙおよびＤｂｋに変換する。色補正回路１１２が行う変換において，実施の形態１のデジタル複写機の記録特性の理想特性からのずれを補正するための基本的な色補正，およびコンソールボード１０７からの指示に基づく任意の色補正，さらに詳細は後述するが，実施の形態１の原稿に使用されている色材の種類に応じた色補正処理が行われる。
【００４５】
色補正回路１１２から出力される各８ビットの記録色濃度信号Ｄｃ，Ｄｍ，ＤｙおよびＤｂｋは，変倍処理回路１１３に印加される。変倍処理回路１１３は，コンソールボード１０７からの指示に応じて，主走査方向（後述する第１キャリッジ２０７の移動方向と垂直な方向）の変倍処理を各色の信号に対して行い，各８ビットの記録色濃度信号Ｄｃ’，Ｄｍ’，Ｄｙ’およびＤｂｋ’を出力する。なお，副走査方向（第１キャリッジ２０７の移動方向）の変倍は，第１キャリッジ２０７の移動速度を変更することにより行われる。
【００４６】
変倍処理回路１１３からの出力される信号は，ディザ処理回路１１４に印加される。ディザ処理回路１１４は，記録濃度信号Ｄｃ’，Ｄｍ’，Ｄｙ’およびＤｂｋ’をディザ処理し，各３ビットの記録色階調信号Ｃ，Ｍ，ＹおよびＢＫを出力する。なお，ディザ処理回路１１４が行うディザ処理において，記録系の階調上の非線形特性の補正も行われる。
【００４７】
画像処理ユニット１０３が出力する記録色階調信号Ｃ，Ｍ，ＹおよびＢＫに応じて，半導体レーザ１１６ｃ，１１６ｍ，１１６ｙおよび１１６ｂｋを付勢する。なお，記録色階調信号ＢＫは，直接のままレーザドライバ１１７ｂｋに与えるが，記録色階調信号Ｃ，ＭおよびＹは，それぞれ，バッファメモリ１１５ｙ，１１５ｍおよび１１５ｃに保持された後，あらかじめ設定した時間Ｔｙ，ＴｍおよびＴｃ遅れてバッファメモリ１１５ｙ，１１５ｍおよび１１５ｃから読み出して，レーザドライバ１１７ｙ，１１７ｍおよび１１７ｃに与える。
【００４８】
次に，図２を参照して，デジタル複写機の基本的な構成および動作について説明する。原稿２０１は，コンタクトガラス２０２上に置かれ，実施の形態１の原稿照明手段であるハロゲンランプ２０３ａ，２０３ｂにより照明される。ハロゲンランプ２０３ａ，２０３ｂが原稿２０１を照射して発生した反射光は，移動可能な第１ミラー２０４ａ，第２ミラー２０４ｂおよび第３ミラー２０４ｃによって反射され，結像レンズ２０５を経て，実施の形態１の色分解手段であるダイクロイックプリズム２０６に入る。
【００４９】
ダイクロイックプリズム２０６において，反射光は３つの波長の光，すなわち，レッド（Ｒ），グリーン（Ｇ）およびブルー（Ｂ）に分光される。分光された光は，固体撮像素子であるＣＣＤ１０８ｒ，１０８ｇおよび１０８ｂにそれぞれ入射する。前述したように入射した分光の内，レッド光はＣＣＤ１０８ｒに，グリーン光はＣＣＤ１０８ｇに，またブルー光はＣＣＤ１０８ｂにそれぞれ入射する。
【００５０】
なお，ハロゲンランプ２０３ａ，２０３ｂおよび第１ミラー２０４ａは，第１キャリッジ２０７に搭載されており，第２ミラー２０４ｂおよび第３ミラー２０４ｃは，第２キャリッジ２０８に搭載されている。第２キャリッジ２０８が第１キャリッジ２０７の１／２の速度で移動することによって，原稿２０１からＣＣＤまでの光路長が一定に保たれ，原画像読取時には第１キャリッジ２０７および第２キャリッジ２０８が，右方向から左方向へ走査される。
【００５１】
また，キャリッジ駆動モータ２０９の軸に固着されたキャリッジ駆動プーリ２１０に巻き付けられたキャリッジ駆動ワイヤ２１１に第１キャリッジ２０７が結合され，第２キャリッジ２０８上の図示しない動滑車にキャリッジ駆動ワイヤ２１１が巻き付けられている。これにより，キャリッジ駆動モータ２０９の正，逆転により，第１キャリッジ２０７と第２キャリッジ２０８が往動（原画像読取走査），復動（リターン）し，第２キャリッジ２０８が第１キャリッジ２０７の１／２の速度で移動する。
【００５２】
第１キャリッジ２０７が図２に示すホームポジションにあるときは，第１キャリッジ２０７が反射形のフォトセンサであるホームポジションセンサ２１２で検出される。ホームポジションセンサ２１２が第１キャリッジ２０７を検出する様子を図３に示す。
【００５３】
図において，第１キャリッジ２０７が露光走査で右方に駆動されてホームポジションから外れると，ホームポジションセンサ２１２は，非受光（第１キャリッジ２０７非検出）となる。一方，第１キャリッジ２０７がリターンでホームポジションに戻ると，ホームポジションセンサ２１２は，受光（第１キャリッジ２０７検出）となり，非受光から受光に変わったときに第１キャリッジ２０７が停止される。
【００５４】
ここで，図１を参照すると，ＣＣＤ１０８ｒ，１０８ｇおよび１０８ｂの出力は，アナログ／デジタル変換されて画像処理ユニット１０３で必要な処理を施されて，記録色情報であるブラック（ＢＫ），イエロー（Ｙ），マゼンタ（Ｍ）およびシアン（Ｃ）それぞれの記録付勢用の２値化信号に変換される。
【００５５】
それぞれの２値化信号は，レーザドライバ１１７ｂｋ，１１７ｙ，１１７ｍおよび１１７ｃに入力され，各レーザドライバが半導体レーザ１１６ｂｋ，１１６ｙ，１１６ｍおよび１１６ｃを付勢することにより，記録色信号（２値化信号）で変調されたレーザ光を出射する。
【００５６】
出射されたレーザ光は，それぞれ，図２に示すように，回転多面鏡２１３ｂｋ，２１３ｙ，２１３ｍおよび２１３ｃで反射され，ｆ−θレンズ２１４ｂｋ，２１４ｙ，２１４ｍおよび２１４ｃを経て，第４ミラー２１５ｂｋ，２１５ｙ，２１５ｍおよび２１５ｃと第５ミラー２１６ｂｋ，２１６ｙ，２１６ｍおよび２１６ｃで反射され，多面鏡面倒れ補正シリンドリカルレンズ２１７ｂｋ，２１７ｙ，２１７ｍおよび２１７ｃを経て，感光体ドラム２１８ｂｋ，２１８ｙ，２１８ｍおよび２１８ｃに結像照射する。
【００５７】
回転多面鏡２１３ｂｋ，２１３ｙ，２１３ｍおよび２１３ｃは，多面鏡駆動モータ２１９ｂｋ，２１９ｙ，２１９ｍおよび２１９ｃの回転軸に固着されている。多面鏡駆動モータ２１９ｂｋ，２１９ｙ，２１９ｍおよび２１９ｃは，一定速度で回転し，回転多面鏡２１３ｂｋ，２１３ｙ，２１３ｍおよび２１３ｃを一定速度で回転駆動する。
【００５８】
また，回転多面鏡２１３ｂｋ，２１３ｙ，２１３ｍおよび２１３ｃの回転により，前述のレーザ光は，感光体ドラム２１８ｂｋ，２１８ｙ，２１８ｍおよび２１８ｃの回転方向（時計方向）と垂直な方向，すなわち，感光体ドラム２１８ｂｋ，２１８ｙ，２１８ｍおよび２１８ｃの各ドラム軸に沿う方向に走査される。
【００５９】
ここで，図４を参照してシアン色記録装置のレーザ走査系を詳細に説明する。前述したように，１１６ｃは半導体レーザを表す。感光体ドラム２１８ｃの軸に沿う方向のレーザ走査（２点鏡線）の一端部においてレーザ光を受光するように光電変換素子であるセンサ２２０ｃが配設されており，センサ２２０ｃがレーザ光を検出し検出から非検出に変化した時点をもって１ライン走査の始点を検出している。
【００６０】
すなわち，センサ２２０ｃのレーザ光検出信号（パルス）がレーザ走査のライン同期パルスとして処理される。マゼンタ記録装置，イエロー記録装置およびブラック記録装置の構成も図４に示すシアン記録装置の構成と全く同じである。
【００６１】
また，図２に戻って説明する。感光体ドラム２１８ｂｋ，２１８ｙ，２１８ｍおよび２１８ｃの表面は，負電圧の高圧発生装置（図示せず）に接続されたチャージスコロトロン２２１ｂｋ，２２１ｙ，２２１ｍおよび２２１ｃにより一様に帯電させられる。記録信号によって変調されたレーザ光が一様に帯電された感光体表面に照射されると，光導電現象で感光体表面の電荷がドラム本体の機器アースに流れて消滅する。ここで，原稿濃度の濃い部分はレーザ光を点滅させないようにし，原稿濃度の淡い部分はレーザ光を点灯させる。
【００６２】
これにより感光体ドラム２１８ｂｋ，２１８ｙ，２１８ｍおよび２１８ｃの表面の，原稿濃度の濃い部分に対応する部分は−８００Ｖの電位に，原稿濃度の淡い部分に対応する部分は−１００Ｖ程度の電位になる。すなわち，原稿の濃淡に対応して，静電潜像が形成される。
【００６３】
この静電潜像をそれぞれ，ブラック現像ユニット２２２ｂｋ，イエロー現像ユニット２２２ｙ，マゼンタ現像ユニット２２２ｍおよびシアン現像ユニット２２２ｃによって現像し，感光体ドラム２１８ｂｋ，２１８ｙ，２１８ｍおよび２１８ｃに表面にそれぞれブラック，イエロー，マゼンタおよびシアントナー画像を形成する。
【００６４】
なお，ブラック現像ユニット２２２ｂｋ，イエロー現像ユニット２２２ｙ，マゼンタ現像ユニット２２２ｍおよびシアン現像ユニット２２２ｃ内のトナーは，攪拌により正電位に帯電される。また，ブラック現像ユニット２２２ｂｋ，イエロー現像ユニット２２２ｙ，マゼンタ現像ユニット２２２ｍおよびシアン現像ユニット２２２ｃは，現像バイアス発生器（図示せず）により−２００Ｖ程度にバイアスされ，感光体の表面電位が現像バイアス以上の場所にトナーが付着し，原稿１０１に対応したトナー像が形成される。
【００６５】
一方，転写紙カセット２２３に収納された記録紙は，送り出しローラ２２４の給紙動作により繰り出されて，レジストローラ２２５で，所定のタイミングで転写ベルト２２６に送られる。
【００６６】
転写ベルト２２６に載せられた記録紙は，転写ベルト２２６の移動により，図２に示すように感光体ドラム２１８ｂｋ，２１８ｙ，２１８ｍおよび２１８ｃの下部を順次に通過し，感光体ドラム２１８ｂｋ，２１８ｙ，２１８ｍおよび２１８ｃを通過する間，転写ベルト２２６の下部でチャージスコロトロン２２１ｂｋ，２２１ｙ，２２１ｍおよび２２１ｃにより，ブラック，イエロー，マゼンタおよびシアンの各トナー像が記録紙上に順次転写される。
【００６７】
続いて，転写された記録紙は，熱定着ユニット２２７に送られそこでトナーが記録紙に固着され，記録紙はトレイ２２８に排出される。一方，転写後の感光体面に発生する残留トナーは，クリーナユニット２２９ｂｋ，２２９ｙ，２２９ｍおよび２２９ｃで除去される。
【００６８】
ブラックトナーを収集するクリーナユニット２２９ｂｋとブラック現像ユニット２２２ｂｋは，トナー回収パイプ２３０で結ばれ，クリーナユニット２２９ｂｋで収集したブラックトナーをブラック現像ユニット２２２ｂｋに回収するようにしている。
【００６９】
なお，クリーナユニット２２９ｙ，２２９ｍおよび２２９ｃで収集したイエロー，マゼンタおよびシアントナーには，記録紙より感光体ドラム２１８ｙ，２１８ｍおよび２１８ｃへの逆転写するなどにより，クリーナユニット２２９ｙ，２２９ｍおよび２２９ｃの前段の異色現像ユニットのトナーが入り混ざているので，再使用のための回収はしない。
【００７０】
なお，ブラック現像ユニット２２２ｂｋ，イエロー現像ユニット２２２ｙ，マゼンタ現像ユニット２２２ｍおよびシアン現像ユニット２２２ｃは，それぞれトナー濃度センサ２３１ｂｋ，２３１ｙ，２３１ｍおよび２３１ｃを備えており，ブラック現像ユニット２２２ｂｋ，イエロー現像ユニット２２２ｙ，マゼンタ現像ユニット２２２ｍおよびシアン現像ユニット２２２ｃのそれぞれのトナー濃度に応じた信号が，トナー濃度制御ユニット（図示せず）に出力される。
【００７１】
トナー濃度制御ユニットは，トナー画像形成のために消費されたトナーを補給し，各ブラック現像ユニット２２２ｂｋ，イエロー現像ユニット２２２ｙ，マゼンタ現像ユニット２２２ｍおよびシアン現像ユニット２２２ｃのトナー濃度を一定に保つために，各トナー濃度センサ２３１ｂｋ，２３１ｙ，２３１ｍおよび２３１ｃの出力に応じて各現像ユニットブラック現像ユニット２２２ｂｋ，イエロー現像ユニット２２２ｙ，マゼンタ現像ユニット２２２ｍおよびシアン現像ユニット２２２ｃに設けられたトナー補給モータ（図示せず）を駆動するためのトナー補給信号を各色独立に出力する。
【００７２】
各トナー補給モータの回転軸にはトナー補給ローラ２３２ｂｋ，２３２ｙ，２３２ｍおよび２３２ｃがそれぞれ固着されており，トナー補給信号に応じて各トナー補給ローラがそれぞれ従動し各現像ユニットにトナーが補給される。
【００７３】
記録紙を感光体ドラム２１８ｂｋから２１８ｃの方向に送る転写ベルト２２６は，アイドルローラ２３３，駆動ローラ２３４，アイドルローラ２３５およびアイドルローラ２３６に張架されており，駆動ローラ２３４で反時計方向に回転駆動される。
【００７４】
駆動ローラ２３４は，軸２３７に枢着されたレバー２３８の左端に枢着されている。レバー２３８の右端には黒モード設定ソレノイド（図示せず）のブランジャ２３９が枢着されている。ブランジャ２３９と軸２３７の間に圧縮コイルスプリング２４０が配設されており，圧縮コイルスプリング２４０がレバー２３８に時計方向の回転力を与えている。
【００７５】
黒モード設定ソレノイドが非通電（カラーモード）であると，記録紙を載せる転写ベルト２２６は感光体ドラム２１８ｂｋ，２１８ｙ，２１８ｍおよび２１８ｃに接触している。この状態で転写ベルト２２６に記録紙を載せて全感光体ドラム２１８ｂｋ，２１８ｙ，２１８ｍおよび２１８ｃにトナー像を形成すると記録紙の移動に伴って記録紙上に各像のトナー像が転写する（カラーモード）。
【００７６】
一方，黒モード設定ソレノイドが通電される（黒モード）と，圧縮コイルスプリング２４０の反発力に抗してレバー２３８が反時計方向に回転し，駆動ローラ２３４が５ｍｍ降下し，転写ベルト２２６は感光体ドラム２１８ｙ，２１８ｍおよび２１８ｃより離れ，感光体ドラム２１８ｂｋには接触したままとなる。この状態では，転写ベルト２２６上の記録紙は感光体ドラム２１８ｂｋに接触するのみであるので，記録紙にはブラックトナー像のみが転写される（黒モード）。
【００７７】
記録紙は，感光体ドラム２１８ｙ，２１８ｍおよび２１８ｃに接触しないので，記録紙には感光体ドラム２１８ｙ，２１８ｍおよび２１８ｃの付着トナー（残留トナー）が付かず，イエロー，マゼンタおよびシアン等の汚れが全く現れない。すなわち黒モードでの複写では，通常の単色黒複写機と同様なコピーが得られる。
【００７８】
次に，図５を参照して，複写機構主要部の動作タイミングを説明する。図５は，２枚の同一フルカラーコピーを作成するときのタイミングチャートである。第１キャリッジ２０７の露光走査が開始されると，まず，図２に示す黒色濃度基準板２４１および白色濃度基準板２４２が読み取られ，その読取濃度により，シェーディング補正が実施される。
【００７９】
次に，原稿載置部の走査の開始とほぼ同じタイミングでレーザ１１６ｂｋの，記録信号に基づいた変調付勢が開始され，レーザ１１６ｙ，１１６ｍおよび１１６ｃの距離分の，転写ベルト２２６の移動時間Ｔｙ，ＴｍおよびＴｃだけ遅れて変調付勢が開始される。各転写用チャージャ２４３ｂｋ，２４３ｙ，２４３ｍおよび２４３ｃは，半導体レーザ１１６ｂｋ，１１６ｙ，１１６ｍおよび１１６ｃの変調付勢開始から所定時間（感光体ドラム上の，レーザ照射位置の部位が転写用チャージャ２４３ｂｋ，２４３ｙ，２４３ｍおよび２４３ｃまで達する時間）の遅れの後に付勢される。
【００８０】
次に，コンソールボード１０７を図６を参照して説明する。図６に，コンソールボード１０７の外観を示す。コンソールボード１０７は，コピースタートキー６０１，テンキー６０２，クリアストップキー６０３，割込みキー６０４，セット枚数表示器６０５，コピー枚数表示器６０６およびタッチパネルデスプレイ６０７によって外観を構成している。
【００８１】
タッチパネルデスプレイ６０７は，表示器の表示画面に透明な接触検出スイッチを多数配列したパネルを設けたものであり，表示部と入力部とが一体になっている。具体的には，各種動作モードの選択およびそれに伴う入力ガイダンスの表示ならびに選択された動作モードの表示が，タッチパネルデスプレイにより行われる。
【００８２】
また，タッチパネルデスプレイ６０７には，図７のような原稿の種類に関した選択をする画面が表示可能になっている。図７は，タッチパネルデスプレイ６０７にて原稿の種類を選択する表示を示す図である。
【００８３】
ここで，標準表示部分７０１，自動表示部分７０２および指定表示部分７０３は，それぞれ標準的な色材に合わせた処理を行う標準処理モード，または，色材の処理の自動判定を行ないその種類に合った処理モードを選択するエリアになっており，システム制御ユニット１０６は，表示部分の押下を検出して各処理モードに入る。
【００８４】
自動表示部分７０２の押下により自動処理モードが選択された状態でコピースタートキー６０１の押下を検出すると，システム制御ユニット１０６は，読取処理ユニット１０１などを制御して通常の原稿読取動作を行わせるとともに，サンプリングユニット１０２でサンプリングされた読取色階調信号Ｒ，ＧおよびＢを読み出して，色材の種類の判定処理を行う。なお，実施の形態１では，自動処理モードにおいて，コピー動作に先立つ原稿の読取動作をせず，いきなりコピー動作を開始するようにしたものである。
【００８５】
色材の種類の判定は，例えば次のように行われる。読み出された読取色階調信号Ｒ，ＧおよびＢで表される色の色度分布，例えば，図８に示すようなＣＩＥＬＡＢ表色系に変換後のａ* −ｂ* 空間での色の分布になる。
【００８６】
図８は，色再現の範囲を示した図である。ここで，色材の種類によって特徴の現れるのは，色の３原色であるシアン，マゼンタおよびイエロー付近の分布である。色の３原色の中で，特に最も彩度の高い色の色相と彩度は，色材の種類によって顕著に異なっている。
【００８７】
図１８〜図１９は，画像出力装置（原稿の種類）毎の色再現範囲を示す説明図である。図１８（ａ）はカラーＣＲＴ，図１８（ｂ）は銀塩写真，図１９（ａ）はオフセット印刷，図１９（ｂ）はインクジェットプリンタ，図２０は昇華型熱転写プリンタをそれぞれ表している。
【００８８】
原稿の色は色再現範囲の内側に分布しているので，色再現範囲の特徴的な部分を検出することで，画像出力装置（原稿の種類）を判定することができる。例えば，図１８（ｂ）に示した銀塩写真の場合，図１９（ａ）に示したオフセット印刷と比較すると，以下のような特徴がある。すなわち，
【００８９】
第１に，図１８（ｂ）の（１）に示すように，彩度の高いイエロー（ｖ* が＋方向に大）が，赤側（ｕ* の＋方向）に寄っている，
第２に，図１８（ｂ）の（２）に示すように，青紫系の明度の低い色（ｖ* が−方向に大，Ｌ* が小）の再現範囲が広い，
第３に，図１８（ｂ）の（３）に示すように，緑および赤の明度の高い色（ｕ* が＋／−方向に大，Ｌ* が大）の再現範囲が広い，
ということがいえる。
【００９０】
システム制御ユニット１０６は，色度分布から色の３原色毎にそれぞれ最も彩度の高い色を探し，それぞれの色相と彩度を，あらかじめＲＯＭ１１９に記憶し，用意してある色材のデータベースと比較する。比較の結果，最も一致したものを原稿で使用されている色材と判定する。
【００９１】
なお，シアン，マゼンタおよびイエローの色材は，一般に１つずつ選ばれ原稿に使用されているのではなく，例えば，印画紙のように，あらかじめ３原色の組合せとして選ばれていることが多い。したがって，色材の判定も３原色の組合せとして一致具合を評価することで，より精度の高い色材判定ができる。
【００９２】
また，以上では色相と彩度に注目して判定を行う場合を説明したが，図９に示すように同じ色材であっても記録の濃さによって色相と彩度は変化する。図９は，同じ色材であっても記録の濃さによって色相と彩度は変化することを示す図である。このため，色相と彩度のみならず，その色の明度も加味して色材の判定を行えば，より精度の高い色材判定ができる。
【００９３】
なお，最も彩度の高い色の検索は，システム制御ユニット１０６のプログラムによる処理ではなく，サンプリングユニット１０２などの機能としてハード的に実現しても良いことは，勿論である。
【００９４】
色材の種類の判定が終了するとシステム制御ユニット１０６は，判定した色材の種類に応じて，あらかじめ決定している処理条件を画像処理ユニット１０３に設定する。このとき行う設定は，例えば，色補正処理手段である色補正回路１１２で行うマスキング処理の処理係数の変更等である。
【００９５】
なお，色補正回路１１２で行う処理はマスキング処理に限らず，補間処理やＬＵＴ（ルック・アップ・テーブル）を使用する場合にも適用できる。また，色材の種類の判定にともない，銀塩写真原稿か網点写真原稿かの識別もできるので，例えば，網点写真原稿に使用される色材を検出した場合は，網点によるモアレを除去するような処理を加えるなどの設定も可能であるのは勿論である。
【００９６】
次に，システム制御ユニット１０６は，図５に示したようなタイミングチャートで複写動作を制御し，画像処理ユニット１０３の設定に応じたコピーを排出する。
【００９７】
前述したように実施の形態１によれば，原稿に使用されている色材の種類に応じた最適な色補正処理を，読取処理ユニット１０１が出力する画像信号に，画像処理ユニット１０３が施すことができる。
【００９８】
なお，上記説明したような方法では，通常，原稿で使用されている色材の種類を判定するために，実際のコピー動作に先立って原稿の読取動作を行うので，自動処理モードでは読取動作が一回増えた分，コピースタートキー６０１の押下からコピーの排出終了までの時間が長くなってしまう。しかし，実施の形態１では，実際のコピー動作に先立っての原稿の読取動作を必要としない標準処理モードおよび指定処理モードも選択できるため，時間が問題となる場合でも，これらのモードを選択することで回避可能になっている。
【００９９】
また，自動処理モードにおいて，コピー動作に先立つ原稿の読取動作をせず，いきなりコピー動作を開始するようにしたものである。すなわち，コピー動作開始時は標準的な色材に合わせた処理条件を設定するとともに，原稿先端部のサンプリングした読取色階調信号Ｒ，Ｇ，Ｂから色材の種類を判定し，処理条件を途中で切り換えるようにすれば，このような時間の問題がない自動処理モードを実現することができる。
【０１００】
また，実施の形態１では，通常の原稿読取動作を行い読取色階調信号Ｒ，Ｇ，Ｂをサンプリングする場合を説明したが，異なる照明条件や異なる色分解条件でそれぞれ原稿読取動作を行い，読取色階調信号Ｒ，Ｇ，Ｂをサンプリングして，色材の種類の判定に利用しても良いことは，勿論である。
【０１０１】
〔実施の形態２〕
実施の形態２は，実施の形態１と略同様の構成において，それぞれ単独で駆動可能であり，かつ，発光特性の異なる複数の照明源を有した原稿照明手段を配置したものである。したがって，ここでは，異なる部分のみを説明する。
【０１０２】
実施の形態２では，図２における原稿照明用であるハロゲンランプ２０３ａ，２０３ｂを，それぞれ色温度の異なるハロゲンランプ１００１，１００２に置き換え，図１０のようにそれぞれ独立に駆動制御可能な構成とする。図１０は，実施の形態２のデジタル複写機の一部構成を示すブロック図である。
【０１０３】
ハロゲンランプ１００１は，駆動回路１００３によって駆動され，また，ハロゲンランプ１００２は，駆動回路１００４によって駆動される。駆動回路１００３，１００４は，Ｉ／Ｏポート１２１によってシステム制御ユニット１０６に接続され，システム制御ユニット１０６の信号に基づいて，動作する。
【０１０４】
システム制御ユニット１０６でサンプリングされた読取色階調信号Ｒ，Ｇ，Ｂを読み出し，それぞれ記憶する。この場合，色温度の違いによりハロゲンランプ１００１，１００２の相対発光分布は，図１１に示したような異なった形状になるので，原稿の同一点をサンプリングした読取色階調信号Ｒ，Ｇ，Ｂであっても，ハロゲンランプの相対発光分布の影響で異なった値として読み出される。
【０１０５】
なお，図１１は，ハロゲンランプ１００１，１００２の相対発光分布を示した図である。この変化は，原稿の色材の種類，すなわち色材の分光反射率に特有のものであるので，変化の具合をあらかじめ用意した色材のデータベースと比較・評価することで，システム制御ユニット１０６は色材の種類を判定するとができる。
【０１０６】
なお，原稿照明用の照明源は，相対発光分布が異なっていればハロゲンランプ１００１，１００２に限らず蛍光灯などでも良く，さらに，ハロゲンランプと蛍光灯など種類の異なるものを組み合わせても良いことは，勿論である。また，発光特性の異なる照明源を３種類以上として，読取色階調信号Ｒ，Ｇ，Ｂの変化をそれぞれの比較・評価するようにすれば，より精度の高い色材の種類の判定が可能となることは，勿論である。
【０１０７】
前述したように実施の形態２によれば，システム制御ユニット１０６が，色温度の違うハロゲンランプ１００１，１００２を使用し，点灯して原稿読取動作を２回行うとともに，サンプリングユニット１０２でサンプリングされた読取色階調信号Ｒ，Ｇ，Ｂを処理することで，色材の種類をさらに精度良く判定することができる。
【０１０８】
〔実施の形態３〕
実施の形態３は，実施の形態１と略同様の構成において，発光特性の異なる複数の駆動モードで発光可能な照明源を有した原稿照明手段を配置したものである。したがって，ここでは，異なる部分のみを説明する。
【０１０９】
図１２は，実施の形態３のデジタル複写機の一部の構成を示すブロック図である。ハロゲンランプ２０３ａ，２０３ｂの色温度は，ハロゲンランプ２０３ａ，２０３ｂを駆動する際の電力を制御することによっても可変させることができる。
【０１１０】
ハロゲンランプ２０３ａ，２０３ｂを駆動する際の電力を制御するものとしては，図１２に示すようなものがある。デューティ（電力）の異なる２種類の駆動パルスを発生する駆動パルス発生回路１２０１と，駆動パルスを切り替える切替え回路１２０２と，切替え回路１２０２の動作に基づいてハロゲンランプ２０３ａ，２０３ｂを駆動する駆動回路１２０３とから構成する。
【０１１１】
なお，図示を省略するが，切替え回路１２０２と駆動回路１２０３は，システム制御ユニット１０６に接続されており，システム制御ユニット１０６の信号に基づいて動作し，ハロゲンランプ２０３ａ，２０３ｂの色温度を可変にできる。
【０１１２】
前述したように実施の形態３によれば，システム制御ユニット１０６は，それぞれ異なるデューティでハロゲンランプ２０３ａ，２０３ｂを点灯して原稿読取動作を２回行うとともに，サンプリングユニット１０２でサンプリングされた読取色階調信号Ｒ，Ｇ，Ｂを処理することで，色材の種類をさらに精度良く判定することができる。
【０１１３】
また，実施の形態３のように原稿照明源を共通として原稿照明源の駆動モードを切り替える構成にすることにより，実施の形態２で示したように，相対発光分布が異なる原稿照明源を複数用意する場合に比べて，部品点数を削減することが容易になり，安価で本発明のカラー入力装置を提供できる。
【０１１４】
また，図５に示したようなタイミングチャートに基づいて動作するデジタル複写機では，１回の原稿走査で１枚のコピーの画像形成が終了するが，本発明のカラー画像入力装置を備えたデジタル複写機は，３ないし４回の原稿走査で１枚のコピーの画像形成するものでも適用できる。特に１回目の原稿走査でブラックの画像形成の際には色材の種類に依らない共通の処理を行うとともに，原稿で使用されている色材の種類に応じた処理を行うことで，コピースタートキー６０１の押下からコピーの排出終了までの時間が変わらず，色再現性に優れたデジタル複写機を実現できる。
【０１１５】
〔実施の形態４〕
実施の形態４は，基本的に実施の形態１と同様の構成であるので，ここでは，異なる部分のみを説明する。
【０１１６】
実施の形態４では，図１３に示すように，図２におけるＣＣＤ結像系の光路中に，分光透過特性がフラットでないフィルタ１３０１を挿入した構成としている。なお，図１３は，デジタル複写機の一部構成を示す図であり，図１４は，フィルタ１３０１の相対透過率を示す図である。
【０１１７】
図１３に示すように，フィルタ１３０１は，軸１３０２を回転軸として回転可能に取り付けられており，ダイクロイックプリズム２０６へ入力する反射光を，このフィルタ１３０１を透過させるか否かの状態を変えることで，ダイクロイックプリズム２０６の色分解特性を可変にしている。
【０１１８】
すなわち，システム制御ユニット１０６は，フィルタ１３０１の有無を切り替えて原稿読取動作を２回行うとともに，サンプリングユニット１０２でサンプリングされた読取色階調信号Ｒ，Ｇ，Ｂを読み出し，それぞれ記憶する。この場合も実施の形態２と同様に原稿の同一点をサンプリングした読取色階調信号Ｒ，Ｇ，Ｂであっても，色分解特性の影響で異なった値として読み出される。
【０１１９】
この変化は，原稿の色材の種類，すなわち色材の分光反射率に特有のものであるので，変化の具合をあらかじめ用意した色材のデータベースと比較・評価することで，システム制御ユニット１０６は色材の種類を判定することができる。
【０１２０】
なお，挿入可能なフィルタ１３０１は２種類以上としても良く，読取色階調信号Ｒ，Ｇ，Ｂの変化をそれぞれ比較・評価するようにすれば，より精度の高い色材の種類を判定が可能となることは，勿論である。
【０１２１】
また，実施の形態４では，原稿から反射光を３つに色分解して原稿読取動作を行う場合を説明したが，５つ以上に色分解して原稿読取動作を行い色材の種類の判定にともしても良いことは，勿論である。
【０１２２】
〔実施の形態５〕
実施の形態５は，実施の形態１の構成に加えて，さらにハロゲンランプ２０３ａ，２０３ｂで照明した原稿からの反射光を，ダイクロイックプリズム２０６の分光特性と異なる分光特性で分光する分光手段を配設し，ダイクロイックプリズム２０６および分光手段で色分解した反射光を受光して光電変換し，画像信号として読み取り，読み取った画像信号に基づいて，原稿に使用されている色材の種類を判定し，判定結果に基づいて，色補正処理を施すようにしたものである。
【０１２３】
換言すれば，実施の形態１において，反射光をダイクロイックプリズム２０６を用いて３つの色に色分解したのに代えて，ダイクロイックプリズム２０６および分光手段を用いて４つの色に色分解するものである。
【０１２４】
４つ以上に色分解して原稿読取動作を行う方法を，図を参照して説明する。図１５は，実施の形態５の４つに色分解して原稿読取動作を行う時のデジタル複写機の構成を示す図である。
【０１２５】
図１５に示すように，ＣＣＤ結像系の光路中に，ハーフミラー１５０１を挿入し，ダイクロイックプリズム２０６に向かう原稿からの反射光の一部をフィルタ１５０２を介してＣＣＤ１５０３に入射させる構成とする。すなわち，ハーフミラー１５０１およびフィルタ１５０２が実施の形態５の分光手段を構成する。
【０１２６】
ここで，フィルタ１５０２の分光透過特性は，図１６に例を示すようにダイクロイックプリズム２０６による分光特性Ｒ，Ｇ，Ｂと異なる分光特性Ｘとする。図１６は，実施の形態５の相対透過率を示す図である。
【０１２７】
次に，実施の形態５のデジタル複写機を，図１７を参照して説明する。図１７は，実施の形態５のデジタル複写機の構成を示すブロック図である。
【０１２８】
原稿画像の読み取りを行い，読取色階調信号レッド（Ｒ），グリーン（Ｇ），ブルー（Ｂ）および４つ目の特定色（Ｘ）を出力する読取処理ユニット１７０１と，原稿をサンプリングするサンプリングユニット１７０２と，読取処理ユニット１７０１から読取色階調信号Ｒ，Ｇ，Ｂを入力して画像処理を施す画像処理ユニット１０３と，画像を記憶する画像記録ユニット１０４と，読取処理ユニット１７０１，サンプリングユニット１７０２，画像処理ユニット１０３および画像記録ユニット１０４相互の，ならびに各ユニット内の各要素間の信号授受のタイミングの整合を行う同期制御ユニット１０５と，デジタル複写機全体の制御を行うシステム制御ユニット１０６と，表示部およびキー部を有しデジタル複写機全体の操作を行うコンソールボード１０７とから構成される。
【０１２９】
次に，実施の形態１と異なる読取処理ユニット１７０１の詳細な構成について，図を参照して説明する。
【０１３０】
読取処理ユニット１７０１は，画像を読み込むＣＣＤ１０８と，ＣＣＤ１０８が読み取った画像情報であるアナログをデジタルに変換するＡ／Ｄ変換器１０９と，シェーディング補正回路１７０４とから構成される。なお，ＣＣＤ１０８は，レッドを読み取るＣＣＤ１０８ｒ，グリーンを読み取るＣＣＤ１０８ｇおよびブルーを読み取るＣＣＤ１０８ｂの他に，特定色（Ｘ）を読み取るＣＣＤ１５０３とから構成される。
【０１３１】
また，ＣＣＤ１０８と同様に，Ａ／Ｄ変換器１０９は，レッドを読み取るＡ／Ｄ変換器１０９ｒ，グリーンを読み取るＡ／Ｄ変換器１０９ｇおよびブルーを読み取るＡ／Ｄ変換器１０９ｂと，さらにＡ／Ｄ変換器１７０３とから構成される。
【０１３２】
上述したように，ＣＣＤ１５０３が読み取った読取色階調信号は，Ａ／Ｄ変換器１７０３によってデジタル信号に変換される。更に，デジタル信号に変換された読取色階調信号は，シェーディング補正回路１７０４でＣＣＤ読取光学系の照明むら，ＣＣＤ内部の受光素子群の感度のばらつきおよび暗電位に対する補正を施され，サンプリングユニット１７０２でサンプリングされる。
【０１３３】
以上のような構成とすることで，原稿からの反射光を４つに色分解して原稿読取動作を行い，出力された読取色階調信号Ｒ，Ｇ，Ｂ，Ｘをサンプリングすることが可能となる。
【０１３４】
このとき，システム制御ユニット１０６は，Ｉ／Ｏポート１２１によって読取処理ユニット１７０１と接続され，Ｉ／Ｏポート１２２によって接続されたサンプリングユニット１７０２でサンプリングされた読取色階調信号Ｒ，Ｇ，Ｂ，Ｘを読み出して，色材の種類の判定を行う。色材の種類の判定処理は，次のようにして行う。
【０１３５】
図１５に示したフィルタ１５０２の分光特性Ｘは，ダイクロイックプリズム２０６により分光する場合に比べて透過する帯域が狭く，グリーン（Ｇ）とブルー（Ｂ）のほぼ中間に光を主に透過する。
【０１３６】
ここでグリーン（Ｇ）とブルー（Ｂ）の光は，それぞれマゼンタ（Ｍ）およびイエロー（Ｙ）の色材によって吸収されるが，詳細な色材の種類によって各波長に対する吸収の度合いがそれぞれ異なっている。
【０１３７】
したがって，読取色階調信号Ｒ，Ｇ，ＢおよびＸの関係も，色材の種類に固有なものになっており，システム制御ユニット１０６は，このような特徴を利用して色材の種類の判定を行う。
【０１３８】
例えば，読み出した多数の読取色階調信号Ｒ，Ｇ，Ｂ，Ｘの組み合わせの中から，マゼンタ（Ｍ）の色材が単色に近い状態で使用されていると推定される組みを探し，あらかじめ用意してあるマゼンタ色材のデータベースと比較して，最も特性の近い色材を原稿に使用されている色材と判定する。また，イエローの色材についても同様な処理を行って，マゼンタの結果と合わせて総合的に判定するようにすれば，より精度の高い判定が可能となる。
【０１３９】
前述したように実施の形態５によれば，原稿からの反射光を４以上に色分解して色材の種類の判定に供するようにすると，色材の種類を判定するための原稿走査が１回で済むため，異なる照明条件や異なる色分解条件でそれぞれ原稿読取動作を行う場合に比べて，色材の種類の判定が終了するまでの時間を短縮できる。
【０１４０】
【発明の効果】
以上説明したように，本発明のカラー画像入力装置（請求項１，２，１２，１３）によれば，原稿に光を照射する原稿照明手段と，前記原稿照明手段で照明した原稿からの反射光を色分解する色分解手段と，前記色分解手段で色分解した反射光を受光して光電変換し，画像信号として読み取る画像読取手段と，前記画像読取手段で読み取った画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたため，原稿に使用されている色材の種類に応じて最適な色補正処理を施すことができ，色再現性の向上を図ったカラー画像入力装置を提供することができる。
【０１４１】
本発明のカラー画像入力装置（請求項３〜５，１２，１３）によれば，それぞれ単独で駆動可能であり，かつ，発光特性の異なる複数の照明源を有した原稿照明手段と，前記原稿照明手段で照明した原稿からの反射光を色分解する色分解手段と，前記色分解手段で色分解した反射光を受光して光電変換し，画像信号として読み取る画像読取手段と，前記複数の照明源をそれぞれ単独に駆動して前記画像読取手段で読み取った複数の画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたため，原稿に使用されている色材の種類に応じて最適な色補正処理を施すことができ，色再現性の向上を図ったカラー画像入力装置を提供することができる。
【０１４２】
本発明のカラー画像入力装置（請求項６，７，１２，１３）によれば，発光特性の異なる複数の駆動モードで発光可能な照明源を有した原稿照明手段と，前記原稿照明手段で照明した原稿からの反射光を色分解する色分解手段と，前記色分解手段で色分解した反射光を受光して光電変換し，画像信号として読み取る画像読取手段と，前記照明源を複数の駆動モードで発光させて前記画像読取手段で読み取った複数の画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたため，原稿に使用されている色材の種類に応じて最適な色補正処理を施すことができ，色再現性の向上を図ったカラー画像入力装置を提供することができる。
【０１４３】
本発明のカラー画像入力装置（請求項８，９，１２，１３）によれば，原稿に光を照射する原稿照明手段と，前記原稿照明手段で照明した原稿からの反射光を，分光特性の異なる複数の色分解モードで色分解する色分解手段と，前記色分解手段で色分解した反射光を受光して光電変換し，画像信号として読み取る画像読取手段と，前記複数の色分解モードを用いて前記画像読取手段で読み取った複数の画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたため，原稿に使用されている色材の種類に応じて最適な色補正処理を施すことができ，色再現性の向上を図ったカラー画像入力装置を提供することができる。
【０１４４】
本発明のカラー画像入力装置（請求項１０〜１３）によれば，原稿に光を照射する原稿照明手段と，前記原稿照明手段で照明した原稿からの反射光を色分解する色分解手段と，前記原稿照明手段で照明した原稿からの反射光を，前記色分解手段の分光特性と異なる分光特性で分光する分光手段と，前記色分解手段および分光手段で色分解した反射光を受光して光電変換し，画像信号として読み取る画像読取手段と，前記画像読取手段で読み取った画像信号に基づいて，原稿に使用されている色材の種類を判定する色材判定手段と，前記色材判定手段の判定結果に基づいて，前記画像読取手段で読み取った画像信号に色補正処理を施す色補正処理手段とを備えたため，原稿に使用されている色材の種類に応じて最適な色補正処理を施すことができ，色再現性の向上を図ったカラー画像入力装置を提供することができる。
【図面の簡単な説明】
【図１】実施の形態１に係るカラー画像入力装置を適用したデジタル複写機のブロック構成図である。
【図２】実施の形態１に係るデジタル複写機の基本的な構成および動作を示す説明図である。
【図３】実施の形態１に係るホームポジションセンサの検出を示す説明図である。
【図４】実施の形態１に係るシアン色記録装置のレーザ走査系を示す説明図である。
【図５】実施の形態１に係る２枚の同一フルカラーコピーを作成するときのタイミングチャートを示す説明図である。
【図６】実施の形態１に係るコンソールボードの外観を示す説明図である。
【図７】実施の形態１に係るタッチパネルデスプレイにて原稿の種類を選択する表示を示す説明図である。
【図８】実施の形態１に係る色再現の範囲を示す説明図である。
【図９】実施の形態１に係る同じ色材であっても記録の濃さによって色相と彩度は変化することを示す説明図である。
【図１０】実施の形態２に係るデジタル複写機の一部構成を示すブロック図である。
【図１１】実施の形態２に係るハロゲンランプの相対発光分布を示した説明図である。
【図１２】実施の形態３に係るデジタル複写機の一例を示す構成図である。
【図１３】実施の形態４に係るデジタル複写機の一部を示す構成図である。
【図１４】実施の形態４に係る相対透過率を示す説明図である。
【図１５】実施の形態５に係る４つに色分解して原稿読取動作を行う時のデジタル複写機を示す構成図である。
【図１６】実施の形態５に係る相対透過率を示す説明図である。
【図１７】実施の形態５に係るデジタル複写機のブロック構成図である。
【図１８】画像出力装置（原稿の種類）毎の色再現範囲を示す説明図である。
【図１９】画像出力装置（原稿の種類）毎の色再現範囲を示す説明図である。
【図２０】画像出力装置（原稿の種類）毎の色再現範囲を示す説明図である。
【図２１】従来におけるカラー画像入力装置の構成を示すブロック図である。
【符号の説明】
１０１，１７０１    読取処理ユニット
１０２，１７０２    サンプリングユニット
１０３    画像処理ユニット
１０４    画像記録ユニット
１０５    同期制御ユニット
１０６    システム制御ユニット
１０７    コンソールボード
１０８ｒ，１０８ｇ，１０８ｂ，１５０３    ＣＣＤ
１０９ｒ，１０９ｇ，１０９ｂ，１７０４    Ａ／Ｄ変換器
１１０，１７０５    シェーディング補正回路
１１１    γ補正回路
１１２    色補正回路
１１３    変倍処理回路
１１４    ディザ処理回路
１１５ｃ，１１５ｍ，１１５ｙ    バッファメモリ
１１６ｃ，１１６ｍ，１１６ｙ，１１６ｂｋ    半導体レーザ
１１７ｃ，１１７ｍ，１１７ｙ，１１７ｂｋ    レーザドライバ
２０３ａ，２０３ｂ，１００１，１００２    ハロゲンランプ
２０６    ダイクロイックプリズム
６０７    タッチパネルデスプレイ
７０１    標準表示部分
７０２    自動表示部分
７０３    指定表示部分
１００３，１００４，１２０３    駆動回路
１２０１    駆動パルス発生回路
１２０２    切替え回路
１３０１，１５０２    フィルタ
１５０１    ハーフミラー
【図１】
0003642874.tif 000002
【図２】
0003642874.tif 000003
【図３】
0003642874.tif 000004
【図４】
0003642874.tif 000005
【図５】
0003642874.tif 000006
【図６】
0003642874.tif 000007
【図７】
0003642874.tif 000008
【図８】
0003642874.tif 000009
【図９】
0003642874.tif 000010
【図１０】
0003642874.tif 000011
【図１１】
0003642874.tif 000012
【図１２】
0003642874.tif 000013
【図１３】
0003642874.tif 000014
【図１４】
0003642874.tif 000015
【図１５】
0003642874.tif 000016
【図１６】
0003642874.tif 000017
【図１７】
0003642874.tif 000018
【図１８】
0003642874.tif 000019
【図１９】
0003642874.tif 000020
【図２０】
0003642874.tif 000021
【図２１】
0003642874.tif 000022